(57)【特許請求の範囲】
【請求項１】
物体からの第１の波長領域光を反射して接眼部に導く光学素子と、
第２の波長領域光を発する光源と、
前記光学素子内において、前記第１の波長領域光を透過して前記第２の波長領域光を反射する波長選択性光学膜と、
前記光源から発せられて前記波長選択性光学膜で反射した前記第２の波長領域光を反射して、再度、前記波長選択性光学膜に向かわせる反射部材と、を有し、
前記波長選択性光学膜を透過した前記第１の波長領域光により形成される物体像に、前記反射部材で反射して前記波長選択性光学膜で再反射した前記第２の波長領域光により形成される像を重ねて前記接眼部を通して観察者に観察させることを特徴とする光学観察装置。
【請求項２】
前記反射部材は、前記光学素子のうち前記第１の波長領域光によって使用されない面から射出した前記第２の波長領域光を反射して前記光学素子内に戻すことを特徴とする請求項１に記載の光学観察装置。
【請求項３】
前記光源は、前記光学素子のうち前記第１及び第２の波長領域光が前記接眼部に向かって射出する面から、前記第２の波長領域光を前記光学素子内に入射させることを特徴とする請求項１又は２に記載の光学観察装置。
【請求項４】
前記反射部材は、前記第２の波長領域光を走査するよう駆動されることを特徴とする請求項１から３のいずれか１つに記載の光学観察装置。
【請求項５】
請求項１から４のいずれか１つに記載の光学観察装置と、
前記第１の波長領域光により形成された物体像を光電変換する撮像素子とを有することを特徴とする撮像装置。
【発明の詳細な説明】
【技術分野】
【０００１】
本発明は、物体からの光により形成される物体像を接眼部を通して観察者に観察させる光学観察装置に関し、特に物体像に各種情報を表示するための像を重ねるスーパーインポーズ表示機能を有する光学観察装置に関する。本発明の光学観察装置は、ビデオカメラやスチルカメラ等の撮像装置に搭載される光学ファインダとして好適なものである。
【背景技術】
【０００２】
撮像装置の光学ファインダには、ファインダ視野内の被写体像に焦点検出エリアや測光エリア等の情報像を重ねて表示し、双方を同一視野内で観察できるようにするスーパーインポーズ表示機能を有するものがある。
【０００３】
スーパーインポーズ表示機能を有する光学ファインダは、特許文献１〜３にて開示されている。
【０００４】
特許文献１の光学ファインダでは、フォーカシングスクリーン上に反射面により構成される表示部を設け、これをペンタダハプリズムの上前部に配置した光源からの光によって照明し、表示部での反射光がペンタダハプリズムを介して接眼レンズに導かれる。
【０００５】
また、特許文献２の光学ファインダでは、ペンタダハプリズムと接眼レンズとの間に設けられたダイクロイック膜等の光合成手段により、フォーカシングスクリーン上の被写体像と液晶パネルに表示された情報の像とを合成して接眼レンズを通じて観察させる。
【０００６】
さらに、特許文献３の光学ファインダでは、光源からの光束を集光する集光レンズと、集光レンズを透過した光束を走査しながら反射する走査部材と、集光レンズによる結像位置付近に配したマイクロレンズアレイとを備えている。走査部材でマイクロレンズアレイ上に情報像（電子像）を形成し、ファインダ光路中に配置された重畳手段（偏光ビームスプリッタ）によってフォーカシングスクリーン上の物体像とマイクロレンズアレイ上の情報像とを合成して観察させる。
【特許文献１】特開平０７−２４４３１７号公報
【特許文献２】特開平１０−２２８０５７号公報
【特許文献３】特開２００５−１２１７３２号公報
【発明の開示】
【発明が解決しようとする課題】
【０００７】
しかしながら、特許文献１の光学ファインダでは、フォーカシングスクリーン上に予め反射面を設けて表示部とするため、決まった情報しか表示できない。
【０００８】
また、特許文献２，３の光学ファインダでは、ペンタダハプリズムと接眼レンズとの間に光合成手段や重畳手段を配置するため、ファインダ光路が長くなり、ファインダ倍率が低下する等、ファインダ性能を損なう可能性がある。
【０００９】
本発明は、ファインダ性能を損なうことなく、任意の像を物体像に重ねて観察者に観察させることが可能な光学観察装置を提供する。
【課題を解決するための手段】
【００１０】
本発明の一側面としての光学観察装置は、物体からの第１の波長領域光を反射して接眼部に導く光学素子と、第２の波長領域光を発する光源と、光学素子内において、第１の波長領域光を透過して第２の波長領域光を反射する波長選択性光学膜と、光源から発せられて波長選択性光学膜で反射した第２の波長領域光を反射して、再度、波長選択性光学膜に向かわせる反射部材と、を有する。波長選択性光学膜を透過した第１の波長領域光により形成される物体像に、反射部材で反射して波長選択性光学膜で再反射した第２の波長領域光により形成される像（情報像）を重ねて接眼部を通して観察者に観察させることを特徴とする。
【００１１】
なお、上記光学観察装置を備えた撮像装置も本発明の他の側面を構成する。
【発明の効果】
【００１２】
本発明によれば、ペンタダハプリズム等の光学素子内に波長選択性光学膜を設け、該光学膜による透過と反射を利用して、互いに異なる波長領域光により形成された物体像と情報像とを重ねる。このため、ファインダ性能を損なうことなく、任意の情報像を物体像に重ねて観察者に観察させることが可能な光学観察装置を実現することができる。
【発明を実施するための最良の形態】
【００１３】
以下、本発明の好ましい実施例について図面を参照しながら説明する。
【実施例１】
【００１４】
図１には、本発明の実施例１である光学観察装置としての光学ファインダを搭載した一眼レフデジタルカメラ（撮像装置）の構成を示している。
【００１５】
図１において、５０は交換レンズ内に設けられた撮像レンズである。５３はＣＣＤセンサやＣＭＯＳセンサ等の固体撮像素子であり、撮像レンズ５０により形成された物体像を光電変換する。画像処理回路（図示せず）は、撮像素子５３の出力信号から画像を生成する。生成された画像は、カメラの背面に設けられたディスプレイに表示されたり記録媒体（半導体メモリ等）に記録されたりする。
【００１６】
図示の状態において、撮像レンズ５０を通った物体（被写体）からの光束は、可動ミラー５２を介してフォーカシングスクリーン５４の射出面側に形成されたマット面５４ａ上にて結像する。これにより、マット面５４ａ上には、物体像（被写体像又はファインダ像ともいう）が形成される。
【００１７】
５１は物体から撮像レンズ５０を通ってマット面５４ａに到達し、さらに後述するコンデンサーレンズ及びペンタダハプリズムを介して接眼光学系に至る光束の中心光線を示す。
【００１８】
可動ミラー５２は、回動軸５２ａを中心として矢印５２ｂの方向に回動可能である。すなわち、光学ファインダを通して物体像を観察させる状態（ファインダ観察状態）では、図示のように撮像レンズからの光路内に斜めに配置されて、被写体からの光束の一部を光学ファインダ側に導く。また、撮像時には、該光路外（上方）に退避して、物体からの光束を固体撮像素子５３の受光面に到達させる。
【００１９】
フォーカシングスクリーン５４の上方には、コンデンサーレンズ５５が配置されている。コンデンサーレンズ５５の射出面５５ａは凸レンズ形状を有する。コンデンサーレンズ５５は、該凸レンズ（射出面５５ａ）の作用により、撮像レンズ５０の瞳を接眼光学系５７の瞳に投影し、フォーカシングスクリーン５４からの光束を集光して効率的に接眼光学系５７に導く。
【００２０】
５６は光学素子としてのペンタダハプリズムである。ペンタダハプリズム５６には、マット面５４ａ上に形成された物体像からの光束がコンデンサーレンズ５５を介して入射面５６ａから入射する。
【００２１】
ペンタプリズム５６の入射面５６ａから入射した物体からの光束は、ダハ面５６ｂ，５６ｃ及び前側反射面５６ｄで反射して、射出面５６ｅから射出し、接眼部としての接眼光学系５７に入射する。ダハ面５６ｂ，５６ｃ及び前側反射面５６ｄでの反射によって、マット面５４ａ上に形成された物体像は、上下左右が反転された正立像として接眼光学系５７のアイポイント５８から観察される。
【００２２】
接眼光学系５７は、本実施例では４つのレンズにより形成されている。ただし、接眼部の構成はこれに限られない。
【００２３】
本実施例では、マット面５４ａ上に形成された物体像（ペンタプリズム５６により反転された正立像）に、後述する「像情報を表示するための構成」により形成された各種情報を表示するための情報像を重ねる。これにより、同一ファインダ視野内で物体像に情報像が重なって見えるスーパーインポーズ表示を行う。各種情報には、焦点検出エリア、測光エリア、撮影者への警告表示等を含む。
【００２４】
なお、カメラの下部には、不図示の焦点検出ユニットが配置されている。ファインダ観察状態では、可動ミラー５２の背後に不図示のサブミラーが配置され、可動ミラー５２を透過した光束をサブミラーで反射して焦点検出ユニットに導く。
【００２５】
次に、情報像を表示するための構成について説明する。５９−１は光源であり、発光ダイオード（ＬＥＤ）等が用いられる。
【００２６】
６０−１は反射プリズムであり、光源５９−１からの光束を、ペンタダハプリズム５６の射出面５６ｅに入射するように折り曲げる。反射プリズム６０−１に入射面６０ａ−１から入射した光源５９−１からの光束は、反射面６０ｂ−１で反射して向きを変え、さらに射出面６０ｃ−１から射出してペンタダハプリズム５６の射出面５６ｅに導かれる。
【００２７】
ペンタダハプリズム５６は、図中の５６ｈを付した面で二分割された２つの光学素子により形成されている。分割面（２つの光学素子のうち一方の面）には、波長選択性光学膜が蒸着されている。この構成により、ペンタダハプリズム５６内（光学素子内）に、波長選択性光学膜を形成することができる。なお、以下の説明においては、この波長選択性光学膜を波長選択膜といい、符号５６ｈを付す。
【００２８】
波長選択膜５６ｈは、可視光領域のうち特定波長よりも長い波長領域の光束（第１の波長領域光：以下、第１の光束ともいう）を反射し、特定波長よりも短い波長領域の光束（第２の波長領域光：以下、第２の光束ともいう）を透過する特性を有する。言い換えれば、ダイクロイック膜のような特性を有する。波長選択膜５６ｈは、誘電体多層膜により構成されている。
【００２９】
ここにいう特定波長よりも短い波長領域とは、物体からの光束の波長領域に相当する、可視光領域のうちの中央付近の波長領域であり、特定波長よりも長い波長領域とは、それよりも長波長側の波長領域である。ただし、これは例に過ぎず、第１及び第２の光束の波長領域は互いに異なればよく、具体的な波長領域は任意である。
【００３０】
波長選択膜５６ｈは、フォーカシングスクリーン５４（つまりは物体）からペンタダハプリズム５６に入射面５６ａから入射してダハ面５６ｂ，５６ｃに向かう第１の光束を透過させる。また、波長選択膜５６ｈは、光源５９−１からペンタダハプリズム５６にその射出面５６ｅから入射した第２の光束を反射してペンタダハプリズム５６の前上面５６ｆの方向に導く。
【００３１】
ペンタダハプリズム５６の外側であって前上面５６ｆに対向する位置には、反射部材６１−１が配置されている。波長選択膜５６ｈで反射した第２の光束は、前上面５６ｆを透過してペンタダハプリズム５６から射出し、反射部材６１−１に到達する。反射部材６１−１に到達した第２の光束は、その反射面６１ａ−１で反射されて再びペンタダハプリズム５６の前上面５６ｆに向かう。
【００３２】
反射部材６１−１は、図１の紙面に垂直な軸を中心として方向６１ｂ−１に回動する。また、反射部材６１−１は、図１の紙面に平行な軸を中心として方向６１ｃ−１に回動する。すなわち、反射部材６１−１は、互いに直交する２軸回りで回動することができる。これにより、反射面６１ａ−１で反射される光源５９−１からの第２の光束を、２次元的に走査することができる。
【００３３】
７０は光源５９−１から発してアイポイント５８に到達する第２の光束の中心光線を示し、７１は第２の光束の拡がりを示す。
【００３４】
ここで、フォーカシングスクリーン５４のマット面５４ａに形成された物体像は、前述したように、ダハ面５６ｂ，５６ｃ及び前側反射面５６ｄを介して接眼光学系５７に導かれる。つまり、ペンタダハプリズム５６の前上面５６ｆは、物体からの第１の光束が反射も透過もしない面、つまりは第１の光束により使用されない面である。
【００３５】
本実施例では、物体からの第１の光束によって使用されないペンタダハプリズム５６の前上面５６ｆを、反射部材６１−１への射出面及び反射部材６１−１からの入射面として使用することで、ペンタダハプリズム５６の面を有効利用している。
【００３６】
また、２軸回りでの回動が可能な反射部材６１−１としては、複写機やレーザビームプリンタ等の画像形成装置によく用いられるガルバノミラーを利用できる。ガルバノミラーは、ガルバノメータの原理を応用し、電流制御によってミラーの回転角度を制御できるデバイスである。また、反射部材６１−１としては、半導体技術を用いて製造されるＭＥＭＳ（Micro Electro-Mechanical System）デバイスのうちミラー面を共振振動させることができるＭＥＭＳミラーデバイスを用いることができる。
【００３７】
本実施例では、反射部材６１−１の２次元走査に同期させながら、光源５９−１の明るさ階調やＯＮ／ＯＦＦ等を制御することで、不図示の撮影者（観察者）の網膜上に２次元像を描画する構成を採用している。反射部材６１−１の走査を制御することで、任意のパターンの像を撮影者に観察させることができる。これにより、提示できる情報の内容（表示内容）の自由度が大幅に上がる。また、走査制御プログラムを変更することで、表示内容の変更を容易に行うことができる。
【００３８】
反射部材６１−１で反射してペンタダハプリズム５６にその前上面５６ｆから再入射した（戻された）第２の光束は、再度、波長選択膜５６ｈに向かい、該波長選択膜５６ｈで再反射し、ペンタダハプリズム５６の射出面５６ｅに向かう。ペンタダハプリズム５６の射出面５６ｅから射出した第２の光束は、フォーカシングスクリーン５４からの第１の光束と同様に、接眼光学系５７に導かれる。つまり、光源５９−１からの第２の光束は、ペンタダハプリズム５６内の波長選択膜５６ｈでの２回の反射を経て接眼光学系５７に導かれる。
【００３９】
これにより、撮影者は、フォーカシングスクリーン５４のマット面５４ａに形成された物体像に、光源５９−１の明るさ階調制御と反射部材６１−１による光束走査によって形成された情報像が重なったスーパーインポーズ表示像を観察することができる。
【００４０】
ここで、光源５９−１は、フォーカシングスクリーン５４のマット面５４ａと光学的に等価な位置に配置されている。これにより、撮影者がアイポイント５８から接眼光学系５７を通してファインダ内を覗いた場合、フォーカシングスクリーン５４のマット面５４ａと光学的に等価な位置に情報像が見える。これにより、物体像と情報像とは視度が一致する。つまり、撮影者は、視度の合った物体像と情報像を同時に観察することができる。
【００４１】
また、本実施例では、ペンタダハプリズム５６と接眼光学系５７との間に、特許文献２，３にて開示されたような光合成部材を配置しないので、ファインダ光路を短くすることができる。その結果、ファインダ倍率が低下する等のファインダ性能の劣化を回避することができる。これにより、物体像と情報像との良好な重畳表示とファインダ性能の向上とを図ることができる。
【００４２】
図２には、撮影者がアイポイント５８から接眼光学系５７を通して観察した場合において、フォーカシングスクリーン５４のマット面５４ａと光学的に等価な位置に情報像が見える様子を示す。
【００４３】
図２において、１０１はファインダ視野（物体像が見える範囲）であり、１０２は情報像の表示範囲である。例えば、図１において、反射部材６１−１が光源５９−１からの第２の光束を方向６１ｃ−１に約４度、方向６１ｂ−１に約３度走査できるとする。この場合、第２の光束を方向６１ｃ−１に２８．８ＫＨｚ、方向６１ｂ−１に６０Ｈｚで走査すると、情報像表示範囲１０２が４８０本の走査線で走査され、これが１秒間に６０回繰り返される。
【００４４】
この際、光源５９−１が常に点灯していると、情報像表示範囲１０２が一様に輝いているように観察される。
【００４５】
しかし、反射部材６１−１の走査動作と光源５９−１の発光強度の制御（明るさ階調やＯＮ／ＯＦＦの制御）とを同期させることによって、情報像表示範囲１０２内に任意パターンを表示させることができる。
【００４６】
図３には、情報像表示範囲１０２内に任意パターンの情報像が表示されている様子を示す。ここでは、情報像の例として、ＡＦのための焦点検出を行う領域である焦点検出エリア１０３を示し、該焦点検出エリア１０３が情報像表示範囲１０２内で連続的に移動していく様子を示している。ここでは、水平方向に動く被写体を追いながら撮影者がカメラをパンニングさせるが、パンニングが被写体に対して遅れたり上下動を伴ったりした場合を示す。このような場合、ファインダ視野１０１内における被写体の位置が変動するため、被写体に追従すべき焦点検出エリア１０３も移動する。
【００４７】
特許文献１のように固定のパターン表示しかできない場合に対して、本実施例では、任意のパターンを表示できるので、焦点検出エリア１０３を、１０３ａ→１０３ｂ→１０３ｃ→１０３と連続的に移動させながら表示することができる。このように、本実施例では、移動する情報像も違和感なく撮影者に観察させることができる。
【００４８】
図４には、本実施例における情報像の表示のための電気的構成及びそれに関連する回路を示している。
【００４９】
図４において、２８は撮像範囲に対応するファインダ視野内に設けられた複数の焦点検出エリアにおいて、位相差検出方式により撮像レンズ５０の焦点検出を行う焦点検出回路である。
【００５０】
前述した焦点検出ユニットは、撮像レンズ５０からの光束に複数対の像を形成させる。焦点検出回路２８は、該複数対の像を受光する複数対のラインセンサと、該各対のラインセンサからの出力信号間での位相差を示す位相差信号を出力する。
【００５１】
２は複数の焦点検出エリアのうち焦点検出を行いたいエリアを撮影者が選択するためのエリア選択スイッチ回路である。
【００５２】
６は選択された焦点検出エリアや撮影者への各種警告表示をファインダ内に表示するために光源５９−１の明るさ階調やＯＮ−ＯＦＦ等の制御を行う光源変調回路である。７は反射部材６１−１を２次元的に回動させて光源５９−１からの光束を走査するための走査制御回路である。
【００５３】
３はシステムコントローラであり、焦点検出回路２８からの位相差信号に基づいて、エリア選択スイッチ回路２で選択された焦点検出エリアでのデフォーカス量を求める。そして、該デフォーカス量に基づいて撮像レンズ５０の焦点調節を行う。また、システムコントローラ３は、選択された焦点検出エリアをスーパーインポーズ表示させるため、光源変調回路６及び走査制御回路７を制御する。
【００５４】
４は情報像の階調ばらつきや反射部材６１−１の駆動ばらつき等を補正する補正値を格納しているＲＯＭである。システムコントローラ３は、ＲＯＭ４から読み出した補正値によって光源変調回路６及び走査制御回路７に出力する制御信号を補正しながらこれらを制御する。これにより、見やすい情報像をファインダ内に形成することができる。なお、この電気的構成は、後述する実施例２でも同様である。
【００５５】
以上説明したように、本実施例によれば、ファインダ性能を損なうことなく、任意の情報像を物体像に重ねて観察者に観察させることが可能な光学ファインダを実現することができる。
【実施例２】
【００５６】
実施例１では、光源５９−１からの光束（第２の光束）を反射部材６１−１で２次元的に走査することにより、情報像を形成する場合について説明した。
【００５７】
これに対し、図５に示す本発明の実施例２の光学ファインダでは、光源として図５の紙面に垂直な方向に一次元的に並ぶ複数の光源（ＬＥＤ等）により構成されるアレイ光源５９−２を使用する。
【００５８】
そして、該アレイ光源５９−２からの光束（第２の光束）を、図の紙面に垂直な軸回りで方向６１ｂ−２に一次元的に回動可能な反射部材６１−２で反射及び走査する。本実施例でも、反射部材６１−２としてガルバノミラーやＭＥＭＳミラーデバイスを用いることができる。
【００５９】
アレイ光源５９−２を使用することで、複数の光源が並ぶ方向にて高解像度での表示が可能である。そして、このアレイ光源５９−２からの光束を、波長選択膜５６ｈ及び反射部材６１−２で反射し、かつ反射部材６１−２で１次元方向に走査して接眼光学系５７に導くことにより、任意パターンの情報像の表示が可能である。
【００６０】
本実施例の光学ファインダは、アレイ光源５９−２、反射部材６１−２及び反射プリズム６０−２を除いて実施例１の光学ファインダと同じ構成を有する。このため、実施例１にて説明した構成要素と同じ構成要素には、実施例１と同符号を付して説明を省略する。
【００６１】
また、反射部材６１−２及び反射プリズム６０−２において、実施例１の反射部材６１−１及び反射プリズム６０−１と同じ機能を有する面（入射面、反射面及び射出面）については、実施例１の該面と同一符号を付して説明に代える。
【００６２】
さらに、本実施例において、物体からの第１の光束の光路及びアレイ光源５９−２から発せられて情報像を形成する第２の光束の光路についても実施例１と同様であるので、説明を省略する。
【００６３】
本実施例では、アレイ光源５９−２と反射プリズム６０−２は、図５の紙面に垂直な方向に長細く延びる。カメラ内において、ペンタダハプリズム５６の射出面５６ｅの下部周辺における光束の射出方向（接眼光学系５７の光軸方向）や上下方向についてはスペースに余裕があまりない反面、図５の紙面に垂直な方向については比較的スペースに余裕がある。
【００６４】
これは、ペンタダハプリズム５６の射出面５６ｅに近接するように接眼光学系５７を配置したり、接眼光学系５７の下方に図示しないシャッターユニットを配置したりする必要があるためである。したがって、ペンタダハプリズム５６の射出面５６ｅの近傍に、接眼光学系５７の光軸方向や上下方向に長い部材を配置することはきわめて困難である。
【００６５】
この点、本実施例では、ペンタダハプリズム５６の射出面５６ｅの下部周辺において比較的スペースに余裕のある図５の紙面に垂直な方向に、長細いアレイ光源５９−２や反射プリズム６０−２を配置する。これにより、カメラ内のスペースを有効に利用し、カメラの大型化を抑えることができる。
【００６６】
また、複数の光源が１次元的に並ぶアレイ光源５９−２を用いることで、反射部材６１−２による光束の走査を１次元走査にすることができ、この結果、光束を２次元走査する場合に比べて、反射部材６１−２の駆動速度を低速にすることができる。
【００６７】
図６には、撮影者がアイポイント５８から接眼光学系５７を通して観察した場合において、フォーカシングスクリーン５４のマット面５４ａと光学的に等価な位置に情報像が見える様子を示す。
【００６８】
図６において、ファインダ視野（物体像が見える範囲）１０１内には、情報像の表示範囲１０２が存在する。例えば、図５において、反射部材６１−２が３５０個のＬＥＤからなるアレイ光源５９−２からの第２の光束を方向６１ｂ−２に約３度走査できるとする。この場合、第２の光束を方向６１ｂ−２に６０Ｈｚで走査すると、情報像表示範囲１０２が４８０本の走査線で走査され、これが１秒間に６０回繰り返される。
【００６９】
この際、アレイ光源５９−２の全ての光源が常に点灯していると、情報像表示範囲１０２が一様に輝いているように観察される。
【００７０】
しかし、本実施例では、図４に示した走査制御回路７と光源変調回路６を通じてシステムコントローラ３によって、反射部材６１−２の走査動作と光源５９−２の発光強度とを同期させて光源５９−２を点灯するように制御する。これにより、情報像表示範囲１０２内に任意パターンを表示させることができる。
【００７１】
本実施例においても、実施例１と同様に、ファインダ性能を損なうことなく、任意の情報像を物体像に重ねて観察者に観察させることが可能な光学ファインダを実現することができる。
【実施例３】
【００７２】
実施例１，２では、光源５９−１，５９−２からの光束（第２の光束）を反射部材６１−１，６１−２で走査することにより、情報像を形成する場合について説明した。
【００７３】
これに対し、図７に示す本発明の実施例３の光学ファインダでは、光源として、複数の光源（ＬＥＤ等）が２次元的に並ぶドットマトリックス光源５９−３を使用する。また、反射部材６１−３を、光束の走査を行わない固定ミラーとする。
【００７４】
ドットマトリックス光源５９−３を使用することで、複数の光源が並ぶ２次元方向にて高解像度での表示が可能である。そして、このようなドットマトリックス光源５９−３からの光束を、波長選択膜５６ｈ及び反射部材６１−３で反射して接眼光学系５７に導くことにより、任意パターンの像情報を表示することができる。
【００７５】
本実施例の光学ファインダは、ドットマトリックス光源５９−３、反射部材６１−３及び反射プリズム６０−３を除いて実施例１の光学ファインダと同じ構成を有する。このため、実施例１にて説明した構成要素と同じ構成要素には、実施例１と同符号を付して説明を省略する。
【００７６】
また、反射プリズム６０−３において、実施例１の反射プリズム６０−１と同じ機能を有する面（入射面、反射面及び射出面）については、実施例１の該面と同一符号を付して説明に代える。
【００７７】
さらに、本実施例において、物体からの第１の光束の光路及びドットマトリックス光源５９−３から発せられて情報像を形成する第２の光束の光路についても、第２の光束の走査がないだけで実施例１と基本的に同じであるので、説明を省略する。
【００７８】
なお、本実施例における電気的な構成は、図４に示した構成から走査制御回路７を取り除いたものとなる。
【００７９】
本実施例で使用されるドットマトリックス光源５９−３において、複数の光源が並ぶ方向は、図７の紙面に垂直な方向と紙面に平行な方向（水平方向）である。特に、実施例２でも説明したように、図７の紙面に垂直な方向にはスペース的な余裕が大きいため、この方向に並ぶ光源数を水平方向に並ぶ光源数よりも多くするとよい。これにより、カメラ内のスペースを有効利用して、情報像を表示するための画素数を多くすることができる。
【００８０】
また、複数の光源が２次元的に並ぶドットマトリックス光源５９−３を用いることで、光束を走査するための反射部材６１−３の駆動が不要となる。このため、光学ファインダの構成を簡単にすることができる。
【００８１】
図８には、撮影者がアイポイント５８から接眼光学系５７を通して観察した場合において、フォーカシングスクリーン５４のマット面５４ａと光学的に等価な位置に情報像が見える様子を示す。
【００８２】
図８において、ファインダ視野（物体像が見える範囲）１０１内には、情報像の表示範囲１０２が存在する。ドットマトリックス光源５９−３及び反射プリズム６０−３は、図７の紙面に垂直な方向により大きな広がりを持つため、情報像の表示範囲１０２も左右方向に長く延びる。ドットマトリックス光源５９−３の各光源のＯＮ／ＯＦＦを、光源変調回路６を通じてシステムコントローラ３によって制御することで、任意パターンの表示が可能となる。
【００８３】
図８では、例として、撮影者にバッテリーの残量が少なくなったために交換を促すバッテリー切れ警告１０４が表示されている様子を示している。
【００８４】
本実施例においても、実施例１，２と同様に、ファインダ性能を損なうことなく、任意の情報像を物体像に重ねて観察者に観察させることが可能な光学ファインダを実現することができる。
【００８５】
以上説明した各実施例は代表的な例にすぎず、本発明の実施に際しては、各実施例に対して種々の変形や変更が可能である。
【００８６】
例えば、上記各実施例では、光源からの光束を波長選択膜と反射部材とで反射して接眼光学系に導く場合について説明したが、反射部材を設けず、波長選択膜での反射だけで接眼光学系に導くようにしてもよい。また、波長選択膜での反射回数は、２回以外の回数でもよい。
【００８７】
また、上記各実施例では、一眼レフデジタルカメラに搭載される光学ファインダについて説明したが、本発明の他の実施例としては、双眼鏡や望遠鏡等の光学観察装置も含まれる。
【図面の簡単な説明】
【００８８】
【図１】本発明の実施例１である光学ファインダを搭載した一眼レフデジタルカメラの断面図。
【図２】実施例１の光学ファインダにおける光束の走査方法を示す図。
【図３】実施例１の光学ファインダにおけるファインダ視野内での表示例を示す図。
【図４】実施例１，２の電気的構成を示すブロック図。
【図５】本発明の実施例２である光学ファインダを搭載した一眼レフデジタルカメラの断面図。
【図６】実施例２の光学ファインダにおける光束の走査方法を示す図。
【図７】本発明の実施例３である光学ファインダを搭載した一眼レフデジタルカメラの断面図。
【図８】実施例３の光学ファインダにおけるファインダ視野内での表示例を示す図。
【符号の説明】
【００８９】
５６  ペンタダハプリズム
５６ｈ  波長選択性光学膜（波長選択膜）
５７  接眼光学系
５９−１〜３  光源
６１−１〜３  反射部材
１０１  ファインダ視野
１０２  情報像表示範囲
１０３  焦点検出エリア
１０４  バッテリー切れ警告
【図１】
0004974780.tif 000002
【図２】
0004974780.tif 000003
【図３】
0004974780.tif 000004
【図４】
0004974780.tif 000005
【図５】
0004974780.tif 000006
【図６】
0004974780.tif 000007
【図７】
0004974780.tif 000008
【図８】
0004974780.tif 000009